(57)【要約】【課題】毛束が湾曲して塗装作業に支障を来すことがなく、次第に毛束に湾曲した癖がつき使用不能になることもなく、塗装用刷毛を最適な状態で保管することができる塗装用刷毛保持具を提供する。【解決手段】本発明の塗装用刷毛保持具１は、塗装用容器２０の上端開口２１に架橋される架橋部２と、架橋部２に設けられ塗装用容器２０の上端開口２１を構成する端縁部２２に架橋部２を装着するための装着部３と、架橋部２に設けられ塗装用刷毛３０の柄３１を挟持して毛束３２側を下方にして起立状態で保持するための挟持手段４とを有している。【選択図】図３
2011218314.tif 000002
【特許請求の範囲】
【請求項１】
塗装用容器の上端開口に架橋される架橋部と、該架橋部に設けられ前記塗装用容器の上端開口を構成する端縁部に前記架橋部を装着するための装着部と、前記架橋部に設けられ塗装用刷毛の柄を挟持して毛束側を下方にして起立状態で保持するための挟持手段とを有していることを特徴とする塗装用刷毛保持具である。
【請求項２】
前記挟持手段は前記架橋部に複数設けられている請求項１に記載の塗装用刷毛保持具。
【請求項３】
前記挟持手段は、前記架橋部に回動可能に取り付けられている請求項１または２に記載の塗装用刷毛保持具。
【発明の詳細な説明】
【技術分野】
【０００１】
本発明は、塗装用刷毛の保管に使用して好適な塗装用刷毛保持具に関するものである。
【背景技術】
【０００２】
従来より、塗装作業終了後の塗装用刷毛は、付着した塗料をシンナーなどの溶剤を用いて洗浄した後、塗装用容器の上端開口より毛束側から挿して保管していた。
【０００３】
しかし、この保管方法によると、毛束が塗装用容器の内底面に押し付けられるため、毛束が湾曲して次の塗装作業に支障を来し、それを繰り返すと次第に毛束に湾曲した癖がにつき使用不能になることもあった。
【先行技術文献】
【特許文献】
【０００４】
【特許文献１】引用無し
【発明の開示】
【発明が解決しようとする課題】
【０００５】
そこで、本発明の課題は、毛束が湾曲して塗装作業に支障を来すことがなく、次第に毛束に湾曲した癖がつき使用不能になることもなく、塗装用刷毛を最適な状態で保管することができる塗装用刷毛保持具を提供することにある。
【課題を解決するための手段】
【０００６】
上記課題を解決するものは、塗装用容器の上端開口に架橋される架橋部と、該架橋部に設けられ前記塗装用容器の上端開口を構成する端縁部に前記架橋部を装着するための装着部と、前記架橋部に設けられ塗装用刷毛の柄を挟持して毛束側を下方にして起立状態で保持するための挟持手段とを有していることを特徴とする塗装用刷毛保持具である。
【０００７】
前記挟持手段は前記架橋部に複数設けられていることが好ましい。前記挟持手段は、前記架橋部に回動可能に取り付けられていることが好ましい。
【発明の効果】
【０００８】
請求項１に記載した塗装用刷毛保持具によれば、毛束が湾曲して次の塗装作業に支障を来すことがなく、次第に毛束に湾曲した癖がつき使用不能になることもなく、塗装用刷毛を最適な状態で保管することができる。
請求項２に記載した塗装用刷毛保持具によれば、請求項１の効果に加え、複数の塗装用刷毛を一つの塗装用容器で纏めて効率的に保管できる。
請求項３に記載した塗装用刷毛保持具によれば、請求項１または２の効果に加え、挟持手段で塗装用刷毛をより容易に保持させることができ、多数の塗装用刷毛を保持させる場合にはさらに容易かつ効率的に塗装用刷毛を保持させることができる。
【図面の簡単な説明】
【０００９】
【図１】本発明の塗装用刷毛保持具の一実施例の斜視図である。
【図２】図１に示した塗装用刷毛保持具の平面図である。
【図３】本発明の塗装用刷毛保持具の使用例を示した斜視図である。
【発明を実施するための形態】
【００１０】
本発明では、塗装用刷毛３０の柄３１を挟持可能な挟持手段４を架橋部２に設けたことで、塗装用容器２０内で毛束３２が内底面に当接しない起立状態で塗装用刷毛３０を保持でき、毛束が湾曲してその後の塗装作業に支障を来すことがなく、次第に毛束に湾曲した癖がつき使用不能になることもなく、塗装用刷毛を最適な状態で保管可能な塗装用刷毛保持具１を実現した。
【実施例１】
【００１１】
本発明の塗装用刷毛保持具を図１ないし図３に示した一実施例を用いて説明する。
この実施例の塗装用刷毛保持具１は、塗装用容器２０の上端開口２１に架橋される架橋部２と、架橋部２に設けられ塗装用容器２０の上端開口２１を構成する端縁部２２に架橋部２を装着するための装着部３（３ａ，３ｂ）と、架橋部２に設けられ塗装用刷毛３０の柄３１を挟持して毛束３２側を下方にして起立状態で保持するための挟持手段４とを有している。以下、各構成について順次詳述する。
【００１２】
架橋部２は、塗装用容器２０の上端開口２１に架橋される部位であり、図２に示すように本体部として長尺状帯状体を有している。架橋部２は塗装用容器２０の上端開口２１の直径と略同一の長さに形成されており、上端開口２１の中央部を横断するように架橋される。これにより、架橋部２の短手方向の両側に向かってそれぞれ後述する挟持手段４を突設させ、より多数の塗装用刷毛３０を保持させることができる。
【００１３】
なお、本願でいう「塗装用容器」とは、上端が開口し内部に塗料を収納可能な有底容器であればよく、図３に示したような塗装時に使用され把手部２３を備えた専用容器の他、塗料販売時に使用される塗料容器なども含まれる。
【００１４】
また、この実施例の架橋部２は長尺状帯状体にて形成されているが、これに限定されるものではなく、後述する装着部３および挟持手段４を設けることができるものであればどのような形態のものでもよく、例えば棒状体などであってもよい。
【００１５】
さらに、この実施例の架橋部２は、塗装用容器２０の上端開口２１の中央部を横断するものとして構成されているが、これに限定されるものではなく、塗装用容器２０の上端開口２１の中央部以外に架橋される形態のものも本発明の範疇に包含される。
【００１６】
装着部３は、塗装用容器２０の上端開口２１を構成する端縁部２２に架橋部２を装着するための部位であり、この実施例の装着部３は、図１に示すように、架橋部２の長手方向の両側にそれぞれ固着された装着部３ａ，３ｂから構成されている。
【００１７】
具体的には、装着部３ａ，３ｂは、架橋部２の長手方向の両側に設けられた屈曲部２ａ，２ｂの外側面にそれぞれ固着されており、塗装用容器２０の上端開口２１を構成する環状端縁部２２を挿嵌可能な下向きの弧状溝部５ａ，５ｂをそれぞれ備えている。そして、塗装用刷毛保持具１を塗装用容器２０の上端開口２１に装着する場合は、装着部３ａ，３ｂの弧状溝部５内に塗装用容器２０の環状端縁部２２を挿嵌することにより装着可能に構成されている。
【００１８】
ただし、装着部３の構造はこれに限定されるものではなく、塗装用容器２０の上端開口２１に架橋部２が架橋できるものであればどのようなものでもよく、例えば、架橋部の長手方向の両側がそれぞれ下方に向かって屈曲され、装着時には、上端開口２１を構成する環状端縁部２２を越えて塗装用容器２０の外側面と係合する弧状片部が一体成形されたものなどであってもよい。
【００１９】
挟持手段４は、塗装用刷毛３０の柄３１を挟持して毛束３２側を下方にして起立状態で保持するためのものであり、この実施例の挟持手段４は、いわゆる洗濯バサミの擬態形状に形成されている。
【００２０】
具体的には、挟持手段４は、図２に示すように、垂直方向に延在する軸部材４ａと、軸部材４ａを支点として連結された一対の挟持部材４ｂと、弾性部材４ｃとから構成されており、挟持部材４ｂは、弾性部材４ｃにより付勢されて通常時では閉じている挟持片部４ｄと、挟持片部４ｄの反対側に設けられ挟持片部４ｄを開くための把持片部４ｅを有している。
【００２１】
塗装用刷毛保持具１には、この挟持手段４が、架橋部２の短手方向に向かって挟持片部４ｄが突出するように複数（この実施例では計６個）取り付けられており、塗装用刷毛３０の柄３１を挟持する場合は、把持片部４ｅを両側から押圧して挟持片部４ｄを開いて柄３１を挟持できるように構成されている。
【００２２】
このように、塗装用刷毛保持具１には挟持手段４が複数設けられている。このため、複数の塗装用刷毛を一つの塗装用容器で纏めて効率的に保管することができる。
【００２３】
また、本発明の塗装用刷毛保持具１は塗装用刷毛３０の柄３１を挟持することができる挟持手段で構成されている。このため、長さの異なる塗装用刷毛でも、挟持する柄の位置を調節することで、毛束が塗装用容器の内底面に接触しない状態で保持することができる。
【００２４】
さらに、挟持手段４は、架橋部２の挟持手段取付板２ｃに、軸部材４ａを支点として図２中矢印ｈのように回動可能に取り付けられている。これにより、適宜、挟持手段４を回動させて塗装用刷毛３０を容易に保持させることができ、多数の塗装用刷毛３０を保持させる際、例えば隣接する装用刷毛３０の刷毛部が大きい場合でも、適宜、挟持手段４を回動させ挟持片部４ｄを他方側に移動させてより容易かつ効率的に保持させることができる。
【００２５】
なお、挟持手段の形態はこの実施例の形態に限定されるものではなく、塗装用刷毛の柄を挟持して毛束側を下方にして起立状態で保持可能なものであればどのようなものでもよい。また、この実施例の挟持手段は計６個設けられているが、これに限定されるものではなく１以上であれば何個のものでも本発明の範疇に包含される。さらに、この実施例の挟持手段４は挟持手段取付板２ｃに固定されているが、長尺状帯状体自体に固定されていてもよい。
【００２６】
架橋部、装着部および挟持手段を形成する材料としては、この実施例のように、剛性および強度に優れた金属材料が好ましいが、これに限定されるものではなく、例えば樹脂材料などでもよい。
【００２７】
つぎに、本発明の塗装用刷毛保持具１の使用方法について説明する。
この塗装用刷毛保持具１を使用するに際しては、図３に示すように、装着部３の弧状溝部５内に、塗装用容器２０の上端開口２１を構成する端縁部２２を挿嵌して架橋部２を上端開口２１の上方に横断させ装着する。つぎに、溶剤にて毛束３２を洗浄した塗装用刷毛３０の柄３１を挟持手段４にて保持させる。この時、塗装用刷毛３０の毛束３２が塗装用容器２０の内底面に接触しないように、挟持手段４にて保持する柄３１の位置を調節して保持させる。隣接する塗装用刷毛３０同士で刷毛部が接触する場合は、挟持手段４を軸部材４ａを支点として回動させ挟持片部４ｄを移動させて保持させる。
【００２８】
このように、本発明の塗装用刷毛保持具１は、塗装用容器２０内で毛束３２が内底面に当接しない起立状態で塗装用刷毛３０を保持できるため、毛束が湾曲してその後の塗装作業に支障を来すことがなく、次第に毛束に湾曲した癖がつき使用不能になることもなく、塗装用刷毛を最適な状態で保管することができる。
【符号の説明】
【００２９】
１    塗装用刷毛保持具
２    架橋部
３    装着部
４    挟持手段
【図１】
2011218314.tif 000003
【図２】
2011218314.tif 000004
【図３】
2011218314.tif 000005